(57)【要約】      （修正有）【課題】書類等の出し入れ作業を簡単に行なえる手提げケースを提供する。【解決手段】外形が略四角形の筒状外装部１と、外装部と対応する大きさの略四角形に形成され、外装部に出し入れ可能に収納するケース部２とを備える。外装部は前後に対向する前壁部１０及び後壁部１１と、上下に対向する天壁部１２及び底壁部１３と、左右両側端を開口して形成したケース部出し入れ用の開口部１４とを備える。ケース部は後壁部２０、上下に対向する天壁部２１及び底壁部、左右に対向する一対の側壁部２３、２４及び所望の高さの前壁部とで構成した上端開口の書類等の収納部２６を備える。外装部の天壁板の略中央部に杷手取り出し用の取り出し孔１５を設けると共にケース部の天壁部に携帯用の杷手２７を設け、この杷手を取り出し孔から外部へ表出可能に構成する。【選択図】図１
0003209911.tif 000002
【実用新案登録請求の範囲】
【請求項１】
外形が略四角形の筒状外装部と、当該外装部と対応する大きさの略四角形に形成され、前記外装部に出し入れ可能に収納するケース部とを備えた手提げケースであって、
前記外装部は、前後に対向する前壁部及び後壁部と、上下に対向する天壁部及び底壁部と、左右両側端を開口して形成され、前記ケース部を出し入れするケース部出し入れ用の開口部とを備え、
前記ケース部は、後壁部と、上下に対向する天壁部及び底壁部と、左右に対向する一対の側壁部と、前記後壁部と対向する所望高さの前壁部とで構成され、前記前壁部の上端部側を開口した収納部を備え、
前記外装部は、前記外装部の前記天壁部の略中央部に開設した杷手取り出し用の取り出し孔を備え、
前記ケース部は、前記ケース部の前記天壁部における前記取り出し孔と対応する部位に位置させて設けた携帯用の杷手を備えている
ことを特徴とする手提げ用ケース。
【請求項２】
前記外装部及び前記ケース部は、紙材で形成されていることを特徴とする請求項１に記載の手提げケース。
【請求項３】
前記ケース部の前記前壁部は、前記ケース部の前記後壁部、前記天壁部及び底壁部、及び前記一対の側壁部と別体に構成されていることを特徴とする請求項１に記載の手提げケース。
【請求項４】
前記ケース部の前記前壁部は、前記ケース部の前記後壁部、前記天壁部、前記底壁部、及び前記一対の側壁部と一体的に形成されていることを特徴とする請求項１に記載の手提げケース。
【考案の詳細な説明】
【技術分野】
【０００１】
本考案は手提げケースに関し、さらに詳しくは、四角形の筒状外装部と、当該外装部に出し入れ可能に収納するケース部とを備えた手提げケースに関する。
【背景技術】
【０００２】
従来、紙材等で形成した手提げケースとして、ケース本体と複数のフォルダーとを備え、ケース本体は上端を開口した収納部と、この収納部の上端開口部を開閉する蓋部とを備え、前記収納部に複数のフォルダーを収納するように構成した携帯用書類ケースが知られている（例えば特許文献１等参照）。
【０００３】
上記特許文献１（先行技術）の携帯用書類ケースは、書類を複数のフォルダーに分類整理し、これをケース本体の収納部に収納して携帯するように構成されている。
【先行技術文献】
【特許文献】
【０００４】
【特許文献１】特開２００２−３４７３７９号公報
【考案の概要】
【考案が解決しようとする課題】
【０００５】
先行技術の上記ケースによれば、複数のフォルダーを用いて書類を分類整理した状態でケースの収納部に収納して携帯することができる。
【０００６】
しかし、先行技術のケースは、分類整理した複数のフォルダーをケースに収納するように構成してあるため、収納するフォルダーを交換する場合には、ケースに収納されているフォルダーをケースから取り出して、所望の複数のフォルダーを収納する必要があるので、収納及び取り出し作業に手間が掛る問題を有している。
【０００７】
本考案は上記のような実情に鑑みてなされたもので、携帯が容易であると共に書類等の出し入れ作業が簡単かつ円滑良好にできる手提げケースを提供することを目的とするものである。
【課題を解決するための手段】
【０００８】
上記目的を達成するため、本考案のうち１つの考案（第１の考案）は、外形が略四角形の筒状外装部と、当該外装部と対応する大きさの略四角形に形成され、前記外装部に出し入れ可能に収納するケース部とを備えた手提げケースであって、
前記外装部は、前後に対向する前壁部及び後壁部と、上下に対向する天壁部及び底壁部と、左右両側端を開口して形成され、前記ケース部を出し入れするケース部出し入れ用の開口部とを備え、
前記ケース部は、後壁部と、上下に対向する天壁部及び底壁部と、左右に対向する一対の側壁部と、前記後壁部と対向する所望高さの前壁部とで構成され、前記前壁部の上端部側を開口した収納部を備え、
前記外装部は、前記外装部の前記天壁部の略中央部に開設した杷手取り出し用の取り出し孔を備え、
前記ケース部は、前記ケース部の前記天壁部における前記取り出し孔と対応する部位に位置させて設けた携帯用の杷手を備えていることを特徴とする。
【０００９】
上記のように構成すると、書類等を整理してケース部の収納部に収納して置き、このケース部を前記外装部の左右いずれかの開口部から外装部へ差し込むことにより収納できると共にケース部を引張ることにより引き出すことができる。したがって、書類等の出し入れ作業が簡単、かつ容易に行なうことができる。
【００１０】
本考案の他の１つの考案（第２の考案）は、第１の考案の手提げケースにおいて、前記外装部及び前記ケース部は、紙材で形成されていることを特徴とする。
【００１１】
本考案のさらに他の１つの考案（第３の考案）は、第１の考案の手提げケースにおいて、前記ケース部の前記前壁部は、前記ケース部の前記後壁部、前記天壁部及び底壁部、及び前記一対の側壁部と別体に構成されていることを特徴とする。
【００１２】
本考案のさらに他の１つの考案（第４の考案）は、第１の考案の手提げケースにおいて、前記ケース部の前記前壁部は、前記ケース部の前記後壁部、前記天壁部、前記底壁部、及び前記一対の側壁部と一体的に形成されていることを特徴とする。
【考案の効果】
【００１３】
本考案によれば、次のような作用効果を奏する。
（１）書類等の出し入れ作業が簡単、かつ円滑良好に行なうことができる。
（２）携帯用の杷手を備えているので、携帯が容易である。
（３）書類等をケース部に整理して収納したまま整然と保管することができると共にケース部に収納した状態のまま見ることができる。
（４）構成が簡単であるため安価に量産することができる。
【図面の簡単な説明】
【００１４】
【図１】本考案の一実施形態の手提げケースの構成を概略的に示す図であって、同図（ａ）はケース部を筒状外装部に収納した状態を示す説明斜視図、同図（ｂ）は前記外装部の説明斜視図、同図（ｃ）はケース部の説明斜視図である。
【図２】図１（ａ）に示す手提げケースの拡大説明斜視図である。
【図３】図１（ｂ）に示す筒状外装部の拡大説明斜視図である。
【図４】図１（ｃ）に示すケース部の拡大説明斜視図である。
【図５】図５（ａ）は図３のＡ−Ａ線説明断面図、図５（ｂ）は図５（ａ）の一部を拡大して示す説明断面図、図５（ｃ）は図３のＢ−Ｂ線説明断面図、図５（ｄ）は図５（ｃ）の一部を拡大して示す説明断面図である。
【図６】図６（ａ）は図４のＣ−Ｃ線説明断面図、図６（ｂ）は図６（ａ）の一部を拡大して示す説明断面図である。
【図７】前壁部形成部を取り除いた状態のケース部の構成を概略的に示す図であって、同図（ａ）は説明正面図、同図（ｂ）は同図（ａ）の一部の構成、特に携帯用杷手の作用を示す説明図、同図（ｃ）は同図（ｂ）の仮想円線Ｄで示す部分を拡大して示す説明図である。
【図８】前記ケース部の前壁部構成部の構成を概略的に示す図であって、同図（ａ）は説明正面図、同図（ｂ）は説明平面図、同図（ｃ）は説明背面図である。
【図９】前記筒状外装部の説明展開平面図である。
【図１０】前記ケース部の説明展開平面図である。
【図１１】前記前壁部構成部の説明展開平面図である。
【図１２】本考案の手提げケースの他の実施形態のケース部の構成を概略的に示す説明斜視図である。
【図１３】図１２のケース部の説明正面図である。
【図１４】図１４（ａ）は図１３のＤ−Ｄ線で切断し、一部の構成を拡大して示す説明端面図、図１４（ｂ）は図１３のＥ−Ｅ線で切断し、一部の構成を拡大して示す説明端面図である。
【図１５】図１３のＦ−Ｆ線で切断し、一部の構成を拡大して示す説明端面図である。
【図１６】図１３のＧ−Ｇ線で切断し、一部の構成を拡大して示す説明端面図である。
【図１７】図１２に示すケース部の説明展開平面図である。
【図１８】図１７の一部を省略して拡大して示す説明展開平面図である。
【図１９】図１９（ａ）ないし（ｄ）は図１７に示す各連結片８０，８１，８２及び８３の部分を拡大して示す説明図である。
【図２０】図２０（ａ）及び（ｂ）は図１９に示す一つの連結片の作用説明図である。
【考案を実施するための形態】
【００１５】
以下、図面を参照して本考案の実施形態の一例について説明する。
【００１６】
図１ないし図１１は本考案の一実施形態（実施形態１）の手提げケースを示す。
【００１７】
図１ないし図１１に示すように、本実施形態（実施形態１）の手提げケース１００は、外形が略四角形の筒状外装部１と、当該外装部１と対応する大きさの略四角形に形成され、外装部１に出し入れ可能に収納するケース部２とを備える。
【００１８】
前記外装部１は、図１（ｂ）、図３等に詳細に示すように、前後に対向する前壁部１０及び後壁部１１と、上下に対向する天壁部１２及び底壁部１３と、左右両側端を開口して形成され、ケース部２を出し入れするケース部出し入れ用の開口部１４，１４とを備える。
【００１９】
また、前記外装部１は、天壁部１２の略中央部に開設し、後述する携帯用の杷手を取り出す所望大きさの長方形の杷手取り出し用の取り出し孔１５を備える。
【００２０】
本実施形態の筒状外装部１は、所望の厚さ、例えば約０．２〜０．５ミリ程度の厚さの一枚の紙材２００（ブランク）で形成されている。なお、紙材２００の厚さは上記範囲内に限定するものではない。以下、外装部１のさらに詳細な構成及び製造方法の一例について図９を参照して説明する。
【００２１】
図９には、紙材２００の略中央部で天壁部１２、上半部側で前壁部１０、下半部側で後壁部１１、及び上端側で底壁部１３を形成した例が開示されている。
【００２２】
図９に示すように、所望の大きさの概略四角形状に形成した紙材２００の左右の側縁部側に沿って、紙材の上端から下端に掛けて所望の幅で平行に折り線１６ａ，１６ｂを施す。前記折り線１６ａ及び１６ｂ間の寸法が外装部１の横幅の寸法になる。外装部１の横幅の寸法は特に限定されないが、例えば約３０ｃｍ〜約４０ｃｍ程度の範囲を挙げることができる。
【００２３】
そして、紙材２００の一側端から他側端に掛けて所定の幅間隔で折り線１６ｃ，１６ｄ，１６ｅ，１６ｆを平行に施して、紙材の中央部で天壁部１２、上半部で前壁部１０、下半部で後壁部１１を、また、前壁部１０の上端に底壁部１３、後壁部１１の下端に接着固定用底板１３ａを前記各折り線を介して一体的に連設して形成する。前記天壁部１２の略中央部には後述する杷手を取り出すための杷手取り出し用の取り出し孔１５を開設する。
【００２４】
前記折り線１６ｃ及び１６ｄ間の寸法（折り線１６ｅ及び１６ｆ間の寸法も線１６ｃ及び１６ｄ間の寸法と同一寸法）が外装体１の縦幅（上下幅）の寸法になる。外装体の縦幅の寸法は特に限定されることなく、外装体１の横幅の寸法等に応じて任意に設定できるものであるが、例えば約２０ｃｍ〜約３０ｃｍ程度の範囲を挙げることができる。
【００２５】
前記折り線１６ｄ及び１６ｅ間の寸法が外装体１の前後幅の寸法になる。外装体１の前後幅の寸法も特に限定するものでなく、外装体１の大きさ（前記した寸法）等に応じて任意に設定できるものであるが、例えば約３．５ｃｍ〜約５．０ｃｍ程度の範囲を挙げることができる。なお、前記折り線１６ｃと紙材２００の上線間の寸法は前記折り線１６ｄ及び１６ｅ間の寸法と同一寸法に設定されている。
【００２６】
また、本実施形態では、紙材２００の両側縁部に折り線１６ａ及び１６ｂを介して連設して形成した折り返し片１７ａ，１７ｂ，１７ｃ，１７ｄ，１７ｅ，１７ｆ．１７ｇ，１７ｈを備える。また、隣接する前記各折り返し片間には切り込み線（符号省略）が形成されている。
【００２７】
前記各折り線の形成、取り出し孔１５、前記各切り込み線の形成及び紙材の形状等は、成形型を用いて一工程で形成加工することができる。
【００２８】
そして、紙材の前記左右の折り線１６ａ，１６ｂに沿って前記各折り返し片１７ａ…１７ｈを内側へ折り返して各折り返し部位に接着する。
【００２９】
次いで、底壁部１３、前壁部１０、後壁部１１及び接着固定用底板を折り線１６ｃ…１６ｆに沿ってそれぞれ内側へ直角に折り曲げて、接着固定用底板１３ａを底壁部１３に接着して筒状外装部１を形成する。これにより、外形が略四角形で左右両端を開口してケース出し入れ用の開口部を形成した筒状外装部１が形成される。
【００３０】
なお、上記した筒状外装部の製造方法は一例として開示したもので、上記以外の他の製造方法を採用することができるものである。
【００３１】
前記ケース部２は、前記外装部１と対応する大きさの略四角形に形成され、外装部１の左右の開口部１４から、差し込んで出し入れ可能に外装部１に収納可能に構成されている。
【００３２】
前記ケース部２は、図１（ｃ）、図４等に詳細に示すように、後壁部２０と、上下に対向する天壁部２１及び底壁部２２と、左右に対向する一対の側壁部２３，２４と、後壁部２０と対向する所望高さの前壁部２５ａとを備え、前記各部２０，２１，２２，２３，２４，２５ａで構成された前記前壁部２５ａの上端部側を開口した書類等の収納部２６を備える。本実施形態の前壁部２５ａは、前記後壁部、天壁部、底壁部、及び両側壁部とは別体の前壁部構成部２５で構成されている。この点については追ってさらに説明する。
【００３３】
また、ケース部２は、天板部２１における前記外装部１の天壁部１２に設けた前記取り出し孔１５と対応する部位に位置させて設けた携帯用の杷手２７を備える。
【００３４】
本実施形態の杷手２７はプラスチック等で構成され、天壁部２１に設けた一対の取付孔２８ａ，２８ｂに取付けて設けてある。また、杷手２７は前記取付孔２８ａ，２８ｂを介して天壁部２１に対して表出する高さを調整可能に取付けてある。杷手２７の両端には、図７に示すように、杷手２７が前記取付孔２８ａ，２８ｂから抜けるのを防止するストッパー用の係止片２７ａ，２７ｂを備える。これにより、前記杷手２７は、前記孔２８ａ，２８ｂを通して前記係止片２７ａ，２７ｂで規制させる範囲内で上下方向に移動可能に取付けてある。
【００３５】
本実施形態のケース部２は、筒状外装部１と同様に、所望の厚さ、例えば約０．２〜０．５ミリ程度の厚さの一枚の紙材３００（ブランク）で形成されている。なお、前壁部形成部２５はケース部２を形成する紙材３００とは別の紙材４００で形成されている。この点については追って説明する。
【００３６】
次に、前記ケース部２のさらに詳細な構成及び製造方法の一例について図１０を参照して説明する。図１０には、紙材３００の中央部で後壁部２０を、左右の両端部側で側壁部２３，２４を、上端部側で天壁部２１を、また、下端部側で底壁部２２を形成した例が開示されている。
【００３７】
図１０に示すように、紙材３００の中央部で前記外装部１の横幅と略同一幅、かつ、前記外装部１の上下幅（高さの寸法）より幾分小幅の略四角形の後壁部２０が形成されている。
【００３８】
前記天壁部２１は、図１０に示すように、後壁部２０の上縁に折り線３０ａを介して後壁部２０に連設して形成した外側板２１ａと、外側板２１ａの上縁に折り線３０ｂを介して外側板２１ａに連設して形成した外側板２１ａと同幅（図１０において上下方向の幅：以下同じ）の内側板２１ｂと、内側板２１ｂの上縁に折り線３０ｃを介して内側板２１ｂと連設して形成した折り返し板２１ｃとを備える。
【００３９】
そして、外側板２１ａを折り線３０ａに沿って直角に折り曲げると共に内側板２１ｂを折り線３０ｂに沿って外側板２１ａの内側に折り返し、これにより、前記外側板２１ａと内側板２１ｂとでケース部２の天壁部２１が形成される。また、前記折り返し板２１ｅは、折り線３０ｃに沿って直角に折り曲げて後壁部２０の内側面に当接される。なお、天壁部の前記取付孔２８ａ，２８ｂは外側板２１ａ及び内側板２１ｂに共通して設ける。
【００４０】
前記底壁部２２は、後壁部２０の下縁に折り線３１ａを介して後壁部２０に連設して形成され、前記天壁部の外側板２１ａと同幅の外側板２２ａと、外側板２２ａの下縁に折り線３１ｂを介して外側板２２ａと連設して形成した外側板２２ａと同幅の内側板２２ｂと、内側板２２ｂの下縁に折り線３１ｃを介して内側板２２ｂと連設して形成した折り返し板２２ｃとを備える。
【００４１】
そして、外側板２２ａを折り線３１ａに沿って直角に折り曲げると共に内側板２２ｂを折り線３１ｂに沿って外側板２２ａの内側に折り返し、これにより、前記外側板２２ａと内側板２２ｂとでケース部２の底板部２２が形成される。また、前記折り返し板２２ｃは折り線３１ｃに沿って直角に折り曲げて後壁部２０の内側面に当接される。
【００４２】
前記両側壁部２３及び２４は、後壁部２０の両側縁に折り線３２ａ及び３３ａを介して後壁部２０に連設して形成され、前記天壁部２１の外側板２１ａと同幅の外側板２３ａ，２４ａと、両外側板２３ａ，２４ａの側縁に折り線３２ｂ及び３３ｂを介し外側板に連設して形成した外側板と同幅の内側板２３ｂ，２４ｂと、両内側板２３ｂ，２４ｂの側縁に折り線３２ｃ及び３３ｃを介して両内側板にそれぞれ連設して形成した折り返し板２３ｃ及び２３ｃとを備える。
【００４３】
そして、両外側板２３ａ及び２４ａを折り線３２ａ及び３３ａに沿ってそれぞれ直角に折り曲げると共に両内側板２３ｂ及び２４ｂを折り線３２ｂ及び３３ｂに沿って外側板の内側に折り返し、これにより、前記両外側板と両内側板とでケース部２の両側壁部２３及び２４が形成される。また、前記両折り返し板２３ｃ及び２４ｃは折り線３２ｃ及び３３ｃに沿って直角に折り曲げて後壁部２０の内側面に当接される。
【００４４】
なお、本実施形態では、前記両折り返し板２３ｃ及び２４ｃの略中央部に切込線２３ｄ及び２４ｄが形成される。前記両切込線２３ｄ及び２４ｄは前壁部形成部２５の後述する折り返し板の上端を差し込んで係合するためのものである。
【００４５】
本実施形態のケース部は、天壁部２１の内側板２１ｂの左右両側縁に折り線３０ｄ及び３０ｅを介して内側板２１ｂから延設して形成した連結片２１ｄ及び２１ｅを備える。また、底壁部２２の内側板２２ｂの左右両側縁に折り線３１ｄ及び３１ｅを介して内側板２２ｂから延設して形成した連結片２２ｄ及び２２ｅを備える。
【００４６】
そして、前記各連結片２１ｄ，２１ｅ，２２ｄ，２２ｅは、前記各折り線３０ｄ，３０ｅ，３１ｄ，３１ｅに沿ってそれぞれ直角に折り曲げて、両側壁部２３，２４の外側板と内側板との間に差し込まれている。
【００４７】
また、本実施形態のケース部は、天壁部２１と両側壁部２３，２４の隣接する外側板２１ａ及び２３ａ，２４ａ同士、即ち、天壁部２１の外側板２１ａの一側縁と側壁部２３の外板部２３ａの一側縁及び天壁部の外側板２１ａの他側縁と側壁部２４の外側板２４ａの一側縁とを折り線（符号は省略）を介して連結して設けた連結片５０，５１を備える。また、底壁部２２と両側壁部２３，２４の隣接する外側板２２ａ及び２３ａ，２４ａ同士、即ち、底壁部の外側板２２ａの一側縁と側壁部２３の外側板２３ａの他側縁及び底壁部の外側板２２ａの他側縁と側壁部２４の外側板２４ａの他側縁とを折り線（符号は省略）を介して連結して設けた連結片５２，５３を備える。
【００４８】
前記各連結片５０，５１，５２，５３は中央部に折り線５０ａ，５１ａ，５２ａ，５３ａを有している。そして、各連結片５０…５３は前記折り線５０ａ…５３ａに沿って二つ折りして両側壁部２３，２４の外側板と内側板との間にそれぞれ差し込まれている。これにより、ケース部２の天壁部２１と両側壁部２３，２４及び底壁部２２と両側壁部２３，２４は連結される。
【００４９】
本実施形態のケース部２の前壁部２５ａは上述したように、前記各部を形成した紙材３００とは別体の紙材で形成されている。
【００５０】
本実施形態の前壁部２５ａを構成する前壁部構成部２５は、前記外装部１と同様に所望の厚さ、例えば約０．２〜０．５ミリ程度の一枚の紙材４００で形成する。
【００５１】
次に、本実施形態の前壁部２５ａの具体的構成及び製造方法の一例について図１１を参照して説明する。
【００５２】
図１１に示すように、前壁部構成部２５の紙材４００の中央部で所望の高さ、かつ、両側壁部２３，２４間の長さ（横幅の寸法）より幾分短尺の長さ（横幅）の前壁部２５ａを形成する。本実施形態の前壁部２５ａはケース部２の約１／２程度の高さに設定されている。この場合、前壁部２５ａの高さ、及び形状は任意に変更可能である。
【００５３】
本実施形態の前壁部構成部２５の紙材４００は、前壁部２５ａの下縁に折り線４０ａを介して前壁部２５ａと連設して形成した底板４１と、前壁部２５ａの左右の両側縁に折り線４０ｂを介して前壁部２５ａと連設して形成した左右の側板４２，４３と、両側板４２，４３の両側縁に折り線４０ｄ，４０ｅを介して側板４２，４３と連設して形成した折り返し板４４，４５とを備える。また、両側板４２，４３の下縁に折り線４０ｆ，４０ｇを介して両側板４２，４３とそれぞれ連設して形成した折り返し片４６，４７とを備える。
【００５４】
そして、底板４１及び両側板４２，４３を折り線４０ａ，４０ｂ，４０ｃに沿って直角に折り曲げると共に両折り返し板４４，４５及び両折り返し片４６，４７を折り線４０ｄ，４０ｅ，４０ｆ，４０ｇに沿ってそれぞれ直角に折り曲げることにより前壁部２５ａを有する前壁部構成部２５を作成する。
【００５５】
そして、前壁部２５ａを前側に向けて前壁部構成部２５を前記ケース部の下半部側に押し入れる。これにより、前壁部２５ａの上端部側を開口した収納部２６を有するケース部２が形成される。また、ケース部の天壁部２１に杷手２７を取付ける。なお、上記課程において前壁部構成部２５の両折り返し板４４，４５の上端部を両側壁部２３，２４の折り返し板２３ｃ，２４ｃに形成した切込線２３ｄ，２４ｄに差し込む。これにより、前壁部構成部の両折り返し板は両側壁部２３，２４の折り返し板２３ｃ，２４ｃに係合して固定される。
【００５６】
本実施形態（実施形態１）の手提げケースは上記のように構成され、ケース部２の収納部に書類等を整理して入れ、ケース部を筒状外装部１の左右のいずれかの開口部から外装部へ差し込んで外装部へ収納する。そして、ケース部に取付けてある杷手を外装部の取り出し孔１５から取り出して携帯するものである。また、ケース部を引っ張ることにより、ケース部を外装部から引き出すことができる。
【００５７】
なお、上記の場合において、前壁部構成部２５は、所望の部位をケース部の所望部位に接着する構成を採用してもよい。
【００５８】
図１２ないし図１９は、本考案の他の実施形態（実施形態２）の手提げケースを示す。なお、実施形態２の手提げケースにおいて、実施形態１で既に説明した構成と共通する構成部等には同一符号を付して説明を省略する。
【００５９】
実施形態２の手提げケースは、ケース部の構成に特徴がある。また、実施形態２の手提げケースの筒状外装部は実施形態１の筒状外装部１と同一に構成されているため、筒状外装部の図面は実施形態１の前記外装部１を援用して省略する。
【００６０】
実施形態２の手提げケースのケース部６は、実施形態１のケース部２と同様に、前記外装部と対応する大きさの略四角形に形成され、外装部１の左右の開口部１４から差し込んで出し入れ可能に外装部１に収納可能に構成されている。
【００６１】
前記ケース部６は、図１２、図１３等に示すように、後壁部６０と、上下に対向する天壁部６１及び底壁部６２と、左右に対向する一対の側壁部６３，６４と、後壁部６０と対向する所望高さの前壁部６５とを備える。ケース部６は、前記各部６０，６１，６２，６３，６４，６５で構成された前記前壁部６５の上端部側を開口した書類等の収納部６６を備える。
【００６２】
実施形態２のケース部６の前壁部６５は、前記後壁部，天壁部，両側壁部、及び底壁部と一体的に形成されている。
【００６３】
実施形態２のケース部６は、所望の厚さ、例えば約０．２〜約０．５ミリ程度の厚さの一枚の紙材５００（ブランク）で形成されている。以下、前記ケース部６のさらに具体的な構成及び製造方法の一例等について図１７等を参照して説明する。
【００６４】
図１７には、紙材５００の中央部で後壁部６０を、左右の両側端部側で側壁部６３及び６４を、上端部側で天壁部６１を、また、下端部側で底壁部６２及び前壁部６５を形成した例が開示されている。
【００６５】
前記天壁部６１は、図１７、図１８に示すように、後壁部６０の上縁に折り線７０ａを介して後壁部６０に連設して形成した外側板６１ａと、外側板６１ａの上縁に折り線７０ｂを介して外側板６１ａに連設して形成した内側板６１ｂとを備える。また、実施形態２では、前記外側板６１ａと内側板６１ｂとの間に前記折り線７０ｂと平行、かつ、内側板６１ｂ方向へ所望の間隔で施した折り線７０ｃが設けられ、前記折り線７０ｂと７０ｃとの間で形成される枠縁部６１ｃ（額縁とも称される）が設けられる。
【００６６】
また、天壁部６１は、前記内側板の上縁に折り線７０ｄを介して内側板６１ｂから延設した折り返し板６１ｄを備える。前記折り線７０ｄは、中央部に所望幅（長さ）の余白部（折り線を形成しない部分：以下同じ）を残して施されている。そして、前記余白部に位置する前記内側板６１ｂに切込線（符号省略）を施して形成した所定幅のスペーサー片６１ｅを備える。スペーサー片６１ｅの幅の寸法は前記外側板６１ａと内側板６１ｂ間に形成される間隔と対応させるように設定される。この点については追ってさらに説明する。
【００６７】
そして、外側板６１ａを折り線７０ａに沿って直角に折り曲げると共に枠縁部６１ｃを折り線７０ｂ沿って直角に折り曲げる。さらに、内側板６１ｂを折り線７０ｃに沿って直角に折り曲げる。これにより、外側板と内側板とで先端面に枠縁部６１ｃを有するケース部６の天壁部６１が形成される。また、前記折り返し板６１ｄは、折り線７０ｄに沿って直角に折り曲げて後壁部６０の内側面に当接される。この場合において、外側板と内側板との間には、図１４に示すように、枠縁部６１ｃによって空間部Ｓ１（空隙部）が形成されるが、図１４に示すように、スペーサー片６１ｅの先端が外側板６１ａの内側面に当接して、両板６１ａ及び６１ｂ間の間隔を維持（保持）させるように構成されている。
【００６８】
前記両側壁部６３及び６４は、図１７、図１８に示すように、後壁部６０の両側縁に折り線７１ａ及び７２ａを介して後壁部６０に連設して形成した外側板６３ａ，６４ａと、両外側板の側縁に折り線７１ｂ及び７２ｂを介して前記両外側板にそれぞれ連設して形成した内側板６３ｂ及び６４ｂとを備える。また、実施形態２では、前記外側板６３ａと内側板６３ｂとの間、及び外側板６４ａと内側板６４ｂとの間に折り線７１ｂ及び７２ｂと平行、かつ、内側板６３ｂ及び６４ｂ方向へ前記天壁部６１の外側板と内側板との間の前記間隔と同一の間隔で施した折り線７１ｃ及び７２ｃが形成され、前記折り線７１ｂと７１ｃ及び７２ｂと７２ｃとの間で形成される枠縁部６３ｃ及び６４ｃ（額縁とも称される）が設けられている。
【００６９】
また、前記両側壁部６３及び６４は、前記両内側板６３ｂ及び６４ｂの側縁に折り線７１ｄ及び７２ｄを介して両内側板６３ｂ，６４ｂから延設した折り返し板６３ｄ及び６４ｄを備える。前記両折り線７１ｄ及び７２ｄは、上半部側及び下半部側の所望部に所望幅（長さ）の余白部を残して施されている。そして、前記両余白部に位置する前記両内側板６３ｂ及び６４ｂに切込線（符号省略）を施して形成した所望長さ、かつ、天壁部のスペーサー片６１ｅと同一幅のスペーサー片６３ｅ及び６４ｅを備える。前記両スペーサー片は天板部のスペーサー片と同様の役目を付与させるために設けたものである。
【００７０】
そして、両外側板６３ａ及び６４ａを折り線７１ａ及び７２ａに沿って直角に折り曲げると共に両枠縁部６３ｃ及び６４ｃを折り線７１ｂ及び７２ｂに沿って直角に折り曲げる。さらに、両内側板６３ｂ及び６４ｂを折り線７１ｃ及び７２ｃに沿って直角に折り曲げる。これにより、両外側板と両内側板とで先端面に枠縁部６３ｃ及び６４ｃを有するケース部６の両側壁部６３及び６４が形成される。また、前記両折り返し片６３ｄ及び６４ｄは折り線７１ｄ及び７２ｄに沿って直角に折り曲げて後壁部６０の内側面に当接される。この場合において、外側板６３ａと内側板６３ｂとの間、及び外側板６４ａと内側板６４ｂとの間には図１５に示すように、両枠縁部６３ｃ及び６４ｃによって、空間部Ｓ２（空隙部）が形成されるが、図１５に示すように、スペーサー片６３ｅ及び６４ｅ（但し、図面ではスペーサー６３ｅのみを開示）の先端が外側板６３ａ（６４ａも同様）の内側面に当接して、両板６３ａ及び６３ｂ間（両板６４ａ及び６４ｂも同様）の間隔を維持（保持）させるように構成されている。
【００７１】
前記両側壁部６３及び６４は、前記両内側板６３ａ及び６４ａの略中央部から底部方向（図１７、図１８において下部側方向）に向けて形成した係合孔６３ｆ及び６４ｆを備える。両係合孔６３ｆ，６４ｆは所望長さのスリット状の長孔で構成されている。両係合孔６３ｆ，６４ｆは、前壁部６５の後述する係合片を差し込んで前壁部６５を両側壁部に係着するために設けたものである。
【００７２】
前記底壁部６２は、図１７に示すように、後壁部６０の下縁に折り線６２ａを介して後壁部６０に連設して形成されている。底壁部６２は、天壁部６１の外側板６１ａの縦幅（図１７において上下方向の幅）と同一幅に形成されている。
【００７３】
前記前壁部６５は、図１７に示すように、底壁部６２の下縁に折り線６５ａを介して底壁部６２に連設して形成されている。なお、前壁部６５の具体的構成等については、追って説明する。
【００７４】
実施形態２のケース部６は、両側壁部６３，６４の内側板６３ｂ及び６４ｂの上縁に、折り線７１ｆ及び７２ｆを介して前記内側板から延設して形成した連結片６３ｇ，６４ｇを備える。
【００７５】
前記両連結片６３ｇ，６４ｇは両折り線７１ｆ及び７２ｆに沿ってそれぞれ直角に折り曲げて、天壁部６１の外側板と内側板との間に差し込まれている。
【００７６】
また、実施形態２のケース部は、天壁部と両側壁部の隣接する外側板６１ａ及び６３ａ同士、即ち、天壁部６１の外側板６１ａの一側縁と側壁部６３の外側板６３ａの一側縁を折り線（符号省略）を介して連結して設けた連結片８０，８１を備える。
【００７７】
前記両連結片８０，８１は、図１９（ａ）及び（ｂ）に詳細に示すように、中央から二つ折りする折り線８０ａ，８１ａと、中央部に形成した接着片８５，８６とを備える。そして、両連結片８０，８１は各折り線８０ａ，８１ａに沿って二つ折りし、天壁部６１の外側板と内側板との間に差し込まれる。これにより、ケース部の天壁部６１と両側壁部６３，６４は連結される。
【００７８】
実施形態２のケース部は、両側壁部６３，６４の内側板６３ｂ，６４ｂの下縁に、折り線７１ｇ及び７２ｇを介して内側板から延設して形成した押え片６３ｈ及び６４ｈを備える。
【００７９】
前記両押え片６３ｈ，６４ｈは両折り線７１ｇ，７２ｇに沿ってそれぞれ直角に折り曲げて、後述する連結片の上面側に当接される。
【００８０】
また、実施形態２のケース部は、両側壁部の外側板の下縁と底壁部６２の両側縁を折り線（符号は省略）を介してそれぞれ連結して設けた連結片８２及び８３を備える。
【００８１】
両連結片８２，８３は、図１９（ｃ）及び（ｄ）に詳細に示すように、前記連結片８０，８１と同様に、中央部から二つ折りする折り線８２ａ，８３ａと、中央部に形成した接着片８７，８８とを備える。そして、両連結片８２，８３は各折り線８２ａ，８３ａに沿って二つ折りし、底壁部６２の内側面上に当接される。
【００８２】
なお、前記連結片８０及び８１の接着片８５及び８６は、両連結片を二つ折りして天壁部の外側板と内側板との間に差し込んだ状態において、外側板の内側面に接着される。また、前記連結片８２及び８３接着片８７及び８８は、両連結片を二つ折りして底壁部６２の内側面上に当接する際に、底壁部６２の内側面に接着される。
【００８３】
前壁部６５は、上記したように、底壁部６２の下縁に折り線６５ａを介して底壁部６２に連設して形成される。
【００８４】
前壁部６５は所望の高さ（図１７において上下方向の幅）、かつ、両側壁部６３，６４の両内側板６３ｂ及び６４ｂ間の長さの寸法と略同一の横幅に形成される。実施形態２の前壁部６５は、ケース部６の後壁部６０の縦幅（図１７において上下幅）の約１／２の寸法幅に形成されている。
【００８５】
前壁部６５は、前壁部６５の両側縁に折り線６５ｂ及び６５ｃを介して前壁部６５の両側縁に連設して形成した押え用側板部９０，９１を備える。また、両側板部９０，９１の先端部（図１７において下端部）には、折り線９０ａを介して両側板部９０，９１に連設して形成し、前記係合孔６３ｆ及び６４ｆに差し込んで係合する係合片９２，９３を備える。
【００８６】
前記前壁部６５は上記構成を具備している。そして、底壁部６２を折り線６２ａに沿って直角に折り曲げる。また、前壁部６５を折り線６５ａに沿って直角に折り曲げると共に両側板部９０，９１を折り線６５ｂ，６５ｃに沿ってそれぞれ直角に折り曲げる。また、両係合片９２，９３を折り線９０ａ，９１ａに沿って外側方向へ略直角に折り曲げる。
【００８７】
そして、上記状態で前壁部６５を両側壁部６３及び６４間に押し入れることにより、図１６に示すように、両係合片９２及び９３（但し、図１６には一方の係合片９２のみを開示）は係合孔６３及び６４（但し、図１６には係合孔のみを開示）に差し込まれて係合する。また、両側壁部の下端部側の両押え片６３ｈ及び６４ｈの上面は両側板部９０，９１の下端部で押えられ、これにより、実施形態２のケース部６は組み立てられる。他の構成は実施形態１と同様である。
【００８８】
実施形態２の手提げケースは上記のように構成され、実施形態１と同様に使用される。これにより、実施形態１と同様の作用効果を奏する。
【００８９】
なお、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００９０】
１        筒状外装部
２        ケース部
１０      前壁部
１１      後壁部
１２      天壁部
１３      底壁部
１４      開口部
１５      取り出し孔
２０      後壁部
２１      天壁部
２２      底壁部
２３      側壁部
２４      側壁部
２５ａ    前壁部
２６      収納部
２７      携帯用の杷手
【図１】
0003209911.tif 000003
【図２】
0003209911.tif 000004
【図３】
0003209911.tif 000005
【図４】
0003209911.tif 000006
【図５】
0003209911.tif 000007
【図６】
0003209911.tif 000008
【図７】
0003209911.tif 000009
【図８】
0003209911.tif 000010
【図９】
0003209911.tif 000011
【図１０】
0003209911.tif 000012
【図１１】
0003209911.tif 000013
【図１２】
0003209911.tif 000014
【図１３】
0003209911.tif 000015
【図１４】
0003209911.tif 000016
【図１５】
0003209911.tif 000017
【図１６】
0003209911.tif 000018
【図１７】
0003209911.tif 000019
【図１８】
0003209911.tif 000020
【図１９】
0003209911.tif 000021
【図２０】
0003209911.tif 000022